【手続補正書】
【提出日】平成18年10月31日(2006.10.31)
【手続補正１】
【補正対象書類名】明細書
【補正対象項目名】発明の名称
【補正方法】変更
【補正の内容】
【発明の名称】板状体の加工装置および加工方法
【手続補正２】
【補正対象書類名】明細書
【補正対象項目名】特許請求の範囲
【補正方法】変更
【補正の内容】
【特許請求の範囲】
【請求項１】  板状体を加工する加工手段を備えるとともに板状体の加工部に加工液を供給する加工液供給手段を備えた板状体の加工装置において、前記加工手段を覆い得るとともに板状体に対して加工手段が進退動し得る開口が形成されたカバー手段と、該カバー手段の内部を吸気する吸気手段を設けたことを特徴とする板状体の加工装置。
【請求項２】  複数の加工手段を備えるとともに、各加工手段をそれぞれ個別のカバー手段で覆い得るよう構成した請求項１に記載の板状体の加工装置。
【請求項３】  カバー手段の板状体に対向する面により板状体を挟持し得るよう構成した請求項１または２に記載の板状体の加工装置。
【請求項４】  カバー手段を加工手段の進退動方向へ伸縮可能に形成するとともに前記カバー手段を加工手段の進退動方向へ縮小した場合には、加工手段がカバー手段から取り出されるよう構成した請求項１、２または３に記載の板状体の加工装置。
【請求項５】  吸気手段により吸引されて空気と同伴された加工液から、加工手段により板状体が加工されて生じた屑状物を除去し、屑状物の除去された加工液を加工液供給手段により板状体の加工部に循環させ得るよう構成した請求項１、２、３または４に記載の板状体の加工装置。
【請求項６】 板状体を加工する加工手段を覆い得るとともに板状体に対して進退動し得る開口が形成されたカバー手段を板状体に当接させる工程と、前記加工手段を前記開口を通って前記板状体に対して進動させる工程と、前記加工手段によって前記板状体を加工する工程と、前記板状体の加工部に加工液を供給する工程と、前記カバー手段の内部を吸気する工程とを含むことを特徴とする板状体の加工方法。
【請求項７】 前記カバー手段を板状体に当接させる工程においては、前記板状体の上面と該上面と対向する下面を挟持する請求項６に記載の板状体の加工方法。
【請求項８】 前記カバー手段の内部を吸気する工程においては加工部に供給された加工液を吸気手段により吸引して空気を同伴させる工程と、空気と同伴させた加工液から加工手段により板状体が加工されて生じた屑状物を除去する工程と、屑状物の除去された加工液を加工液供給手段により板状体の加工部に循環させる工程とを含む請求項６または７に記載の板状体の加工方法。
【手続補正３】
【補正対象書類名】明細書
【補正対象項目名】０００１
【補正方法】変更
【補正の内容】
【０００１】
【発明の属する技術分野】
本発明は板状体の加工装置および加工方法に係り、とくに自動車用の窓ガラスを孔明け加工する板状体の加工装置および加工方法に関するものである。
【手続補正４】
【補正対象書類名】明細書
【補正対象項目名】０００３
【補正方法】変更
【補正の内容】
【０００３】
【発明が解決しようとする課題】
しかしながら、従来の孔明け装置は、冷却に供した加工水が装置の周辺に飛散するため、その飛散した加工水によって孔明け装置の駆動部に悪影響を与えるという場合がある。また、前記加工水にクーラント剤を混合すれば、ダイヤモンドドリルの寿命を延ばすことができるが、従来の孔明け装置では、クーラント剤も飛散してしまうので、衛生面から使用することができないという欠点がある。さらに、従来の孔明け装置では、冷却に供した加工水を再利用することができないという欠点もある。
本発明は、斯かる実情に鑑みなされたもので、加工水の飛散を防止することが可能でかつ加工水の再利用をも可能とした、小型で取り扱い容易なカバー手段を備えた板状体の加工装置および加工方法を提供することを目的としてなしたものである。
【手続補正５】
【補正対象書類名】明細書
【補正対象項目名】０００８
【補正方法】変更
【補正の内容】
【０００８】
上記の板状体の加工装置において、吸気手段により吸引されて空気と同伴された加工液から加工手段により加工されて生じた屑状物を除去し、屑状物の除去された加工液を加工液供給手段により板状体の加工部に循環させ得るよう構成することは好ましい。このように、加工液を循環して使用することにより、加工液の再利用が可能となる。
本発明は、板状体を加工する加工手段を覆い得るとともに板状体に対して進退動し得る開口が形成されたカバー手段を板状体に当接させる工程と、前記加工手段を前記開口を通って前記板状体に対して進動させる工程と、前記加工手段によって前記板状体を加工する工程と、前記板状体の加工部に加工液を供給する工程と、前記カバー手段の内部を吸気する工程とを含む板状体の加工方法を提供する。
板状体を加工手段により加工する際には、加工手段を板状体に当接させた状態で加工部に加工液を供給するとともに吸気手段によりカバー手段の内部を吸気する。このため、加工液は加工時にカバー手段の外部に飛散することがない。
上記板状体の加工方法では、前記カバー手段を板状体に当接させる工程において、前記板状体の上面と該上面と対向する下面を挟持することは好ましい。これにより、部品数の削減が可能となる。
上記板状体の加工方法では、前記カバー手段の内部を吸気する工程においては加工部に供給された加工液を吸気手段により吸引して空気を同伴させる工程と、空気と同伴させた加工液から加工手段により板状体が加工されて生じた屑状物を除去する工程と、屑状物の除去された加工液を加工液供給手段により板状体の加工部に循環させる工程とを含むことは好ましい。これにより、加工液を循環して再利用することが可能となる。
【手続補正６】
【補正対象書類名】明細書
【補正対象項目名】０００９
【補正方法】変更
【補正の内容】
【０００９】
【発明の実施の形態】
以下、本発明の実施の形態を図示例とともに説明する。
図１は本発明に係る板状体の加工装置および加工方法が適用された自動車用窓ガラスの孔明け装置の実施の形態の一例で、稼動時の状態を示す全体斜視図、図２は図１のＩＩ−ＩＩ方向矢視図、図３は図２のＩＩＩ−ＩＩＩ方向矢視図である。また、図４は図１に示す板状体の加工装置においてダイヤモンドドリルを交換する場合の状態を示す斜視図、図５は図４のＶ−Ｖ方向矢視図、図６は図５のＶＩ−ＶＩ方向矢視図である。さらに、図７は図１に示す板状体の加工装置に適用するガラス板を挟持する部分の拡大断面図、図８は図１に示す板状体の加工装置に適用する下部のダイヤモンドドリルを覆うカバーの部分の斜視図である。さらにまた、図９は本発明の板状体の加工装置および加工方法に適用する加工水を処理する装置の一例を示すフローチャートである。
【手続補正７】
【補正対象書類名】明細書
【補正対象項目名】００４１
【補正方法】変更
【補正の内容】
【００４１】
上述の本発明の実施の形態においては、加工装置および加工方法として孔明け装置および孔明け方法を例示したが、これに限られるものではなく、面取り装置、切削装置、研磨装置などを用いた板状体の加工装置および加工方法に適用することができる。また、板状体としてガラス板を例示したが、これに限らず、セラミック、シリコンなどの硬脆化材料やアルミ板、金属板、プラスチック板などの板状体に対しても適用することができる。さらに、矩形状の板状体に限らず、種々の形状の板状体に対しても適用することができる。 
【手続補正８】
【補正対象書類名】明細書
【補正対象項目名】００４２
【補正方法】変更
【補正の内容】
【００４２】
【発明の効果】
以上、説明したように本発明の請求項１〜８の板状体の加工装置および加工方法によれば、板状体の加工時に加工液がカバー手段の外部に飛散することを確実に防止することができる。
また、請求項２の板状体の加工装置によれば、カバー手段を小型化できるため、加工手段を交換する際の取り扱いが簡単で設備費も低減することができ、請求項３の板状体の加工装置によれば、部品数の削減が可能となる。
さらに請求項４の板状体の加工装置によれば、請求項２の場合と同様、加工手段を交換する際の取り扱いが簡単で設備費を低減することができ、請求項５の板状体の加工装置によれば、加工液の再利用が可能となることから、高価なクーラント液を使用できるため、加工手段の寿命が延び、ランニングコストを削減することができる。
さらにまた、請求項７の板状体の加工方法によれば、部品数の削減が可能となり、請求項８の板状体の加工方法によれば、加工液を循環して再利用することが可能となる。
【手続補正９】
【補正対象書類名】明細書
【補正対象項目名】図面の簡単な説明
【補正方法】変更
【補正の内容】
【図面の簡単な説明】
【図１】
本発明に係る板状体の加工装置および加工方法が適用された自動車用窓ガラスの孔明け装置の実施の形態の一例で、稼動時の状態を示す全体斜視図である。
【図２】
図１のＩＩ−ＩＩ方向矢視図である。
【図３】
図２のＩＩＩ−ＩＩＩ方向矢視図である。
【図４】
図１に示す板状体の加工装置においてダイヤモンドドリルを交換する場合の状態を示す斜視図である。
【図５】
図４のＶ−Ｖ方向矢視図である。
【図６】
図５のＶＩ−ＶＩ方向矢視図である。
【図７】
図１に示す板状体の加工装置に適用するガラス板を挟持する部分の拡大断面図である。
【図８】
図１に示す板状体の加工装置に適用する下部のダイヤモンドドリルを覆う伸縮カバーの部分の斜視図である。
【図９】
本発明の板状体の加工装置および加工方法に適用する加工水を処理する装置の一例を示すフローチャートである